(57)【特許請求の範囲】
【請求項１】
噴射物を収容した容器と、
上記容器から噴射物を噴射させる噴射状態と、噴射物を噴射させない非噴射状態とに切り替えるための切替装置と、
動物が所定距離内に存在するか否かを検知するセンサーと、
上記センサーにより動物が所定距離内に存在することが検知された場合には上記切替装置を噴射状態にする一方、動物が所定距離内に存在しない場合には上記切替装置を非噴射状態にする制御装置とを備えた動物忌避装置において、
噴射禁止動作として人間が手を叩く動作を行ったこと、口笛を吹いたこと及び声を発したことの少なくとも１つを、そのときに発する音によって検知する動作検知手段を備え、
上記制御装置は、上記動作検知手段によって噴射禁止動作を検知したときには、動物が所定距離内に存在しても上記切替装置を非噴射状態にして噴射を禁止する噴射禁止制御を行うように構成されていることを特徴とする動物忌避装置。
【請求項２】
請求項１に記載の動物忌避装置において、
上記制御装置は、上記動作検知手段によって噴射禁止動作を検知した後、所定時間が経過すると上記噴射禁止制御を終了するように構成されていることを特徴とする動物忌避装置。
【請求項３】
請求項１または２に記載の動物忌避装置において、
上記噴射禁止制御を行っていることを報知する報知手段を備え、
上記制御装置は、上記噴射禁止制御を行っているときには、上記噴射禁止制御を行っていることを上記報知手段に報知させるように構成されていることを特徴とする動物忌避装置。
【発明の詳細な説明】
【技術分野】
【０００１】
本発明は、例えば猫や犬等の動物に対して用いられる動物忌避装置に関するものである。
【背景技術】
【０００２】
従来より、この種の動物忌避装置としては、動物が所定距離まで接近したときにエアゾール容器に収容された薬剤を噴射するように構成されたものが知られている（例えば、特許文献１、２参照）。特許文献１では、本体ケースの内部にエアゾール容器を格納している。本体ケースの外面には、焦電型赤外線センサーが設けられている。本体ケースの内部には、エアゾール容器のノズルを操作するアクチュエータや電源、制御基板が設けられている。焦電型赤外線センサーによって動物が所定距離まで接近したことを検知すると、アクチュエータを作動させてエアゾール容器のノズルを操作して薬剤を噴射することによって動物に忌避効果を与えるようにしている。
【０００３】
特許文献２の動物忌避装置も同様に構成されており、本体ケース内に格納されたエアゾール容器から薬剤を噴射することができるようになっている。
【先行技術文献】
【特許文献】
【０００４】
【特許文献１】特開平８−２１４７６０号公報
【特許文献２】特開２００１−２１１８０８号公報
【発明の概要】
【発明が解決しようとする課題】
【０００５】
ところで、特許文献１、２の動物忌避装置の場合、例えば長期間使用してエアゾール容器が空になるとエアゾール容器の交換のために人間が動物忌避装置に接近する。このとき、特許文献１、２では、動物が所定距離まで接近したか否かを赤外線センサーによって検知するようにしているので、人間が動物忌避装置に接近した瞬間にエアゾール容器内の薬剤が噴射されてしまう。また、例えば人間が動物忌避装置の前を横切ったり、周囲を通らなければならない場合にも、人間が動物忌避装置に接近すればエアゾール容器内の薬剤が噴射されてしまう。このような無用な噴射は、エアゾール容器内の薬剤を無駄に消費することになるとともに、人間を驚かせてしまうというという問題がある。
【０００６】
本発明は、かかる点に鑑みてなされたものであり、その目的とするところは、人間が動物忌避装置に故意に接近するような場合に容器内の噴射物を無駄に消費しないようにするとともに、人間を驚かせてしまうのを防止することにある。
【課題を解決するための手段】
【０００７】
上記目的を達成するために、本発明では、人間によってなされる噴射禁止動作を検知したときには噴射物の噴射を禁止するようにした。
【０００８】
第１の発明は、
噴射物を収容した容器と、
上記容器から噴射物を噴射させる噴射状態と、噴射物を噴射させない非噴射状態とに切り替えるための切替装置と、
動物が所定距離内に存在するか否かを検知するセンサーと、
上記センサーにより動物が所定距離内に存在することが検知された場合には上記切替装置を噴射状態にする一方、動物が所定距離内に存在しない場合には上記切替装置を非噴射状態にする制御装置とを備えた動物忌避装置において、
噴射禁止動作として手を叩く動作を行ったこと、口笛を吹いたこと及び声を発したことの少なくとも１つを、そのときに発する音によって検知する動作検知手段を備え、
上記制御装置は、上記動作検知手段によって噴射禁止動作を検知したときには、動物が所定距離内に存在しても上記切替装置を非噴射状態にして噴射を禁止する噴射禁止制御を行うように構成されていることを特徴とする。
【０００９】
この構成によれば、例えば容器の交換等のために動物忌避装置に近づこうとする前に、人間が噴射禁止動作をすれば、その噴射禁止動作が動作検知手段によって検知され、切替装置が非噴射状態にされて噴射物の噴射が禁止される。これにより、容器内の噴射物が無駄に消費されなくなるとともに、人間を驚かせてしまうのが防止される。
【００１０】
また、動物忌避装置に接近しようとする者が手を叩くことによって噴射禁止制御が行われるので、簡単な操作で噴射物の噴射を禁止することが可能になる。
【００１１】
第２の発明は、第１の発明において、
上記制御装置は、上記動作検知手段によって噴射禁止動作を検知した後、所定時間が経過すると上記噴射禁止制御を終了するように構成されていることを特徴とする。
【００１２】
この構成によれば、例えば動物忌避装置の近くで何らかの作業を行うために動物忌避装置に接近する際に、事前に噴射禁止動作を行っておけばその作業中は噴射を禁止することが可能になるので、利便性が高まる。また、所定時間が経過すれば噴射禁止制御が終了するので、噴射禁止制御のまま長時間経過してしまうことはなく、動物忌避効果が得られる。
【００１３】
第３の発明は、第１または２の発明において、
上記噴射禁止制御を行っていることを報知する報知手段を備え、
上記制御装置は、上記噴射禁止制御を行っているときには、上記噴射禁止制御を行っていることを上記報知手段に報知させるように構成されていることを特徴とする。
【００１４】
この構成によれば、動物忌避装置が噴射禁止制御を行っているか否かを把握することが可能になる。
【発明の効果】
【００１５】
第１の発明によれば、人間によってなされる噴射禁止動作を検知したときに噴射物の噴射を禁止することができるので、人間が動物忌避装置に故意に接近するような場合に容器内の噴射物を無駄に消費しないようにすることができるとともに、人間を驚かせてしまうのを防止することができる。また、手を叩く動作によって噴射禁止制御を行うことができるので、簡単な操作で噴射物の噴射を禁止することができる。
【００１６】
第２の発明によれば、動作検知手段によって噴射禁止動作を検知した後、所定時間が経過すると噴射禁止制御を終了するので、利便性を高めることができる。
【００１７】
第３の発明によれば、噴射禁止制御を行っているときに報知することができるので、噴射禁止制御を行っているか否かを、動物忌避装置に接近しようとする者が把握することができる。
【図面の簡単な説明】
【００１８】
【図１】実施形態１に係る動物忌避装置の斜視図である。
【図２】動物忌避装置の正面図である。
【図３】動物忌避装置の左側面図である。
【図４】動物忌避装置の平面図である。
【図５】図２のV−V線断面図である。
【図６】動物忌避装置のブロック図である。
【図７】接続部材を有するエアゾール容器の斜視図である。
【図８】接続部材及び容器カバーを有するエアゾール容器の縦断面図である。
【図９】接続部材の斜視図である。
【図１０】接続部材の側面図である。
【図１１】図９のXI−XI線断面図である。
【図１２】図９のXII−XII線断面図である。
【図１３】本体ケースの下部の縦断面図である。
【図１４】円筒部材を下方から見た図である。
【図１５】脚部材及びエアゾール容器の縦断面図である。
【図１６】脚部材及びエアゾール容器を下方から見た斜視図である。
【図１７】脚部材を上方から見た斜視図である。
【図１８】図１７のXVIII−XVIII線断面図である。
【図１９】脚部材の平面図である。
【図２０】残ガス排出の手順を示す図であり、（ａ）はエアゾール容器を残ガス排出部にセットする直前の状態を示し、（ｂ）は残ガス排出中を示す。
【図２１】残ガス排出中のエアゾール容器と脚部材の斜視図である。
【図２２】制御装置による制御の流れを示すフローチャートである。
【図２３】大容量のエアゾール容器を取り付けた状態を示す図１相当図である。
【図２４】実施形態２に係る動物忌避装置の斜視図である。
【図２５】実施形態３に係る動物忌避装置の左側面図である。
【図２６】実施形態３に係る動物忌避装置の電池カバーを外す途中の状態を示す図である。
【図２７】実施形態３に係る動物忌避装置の電池カバーを外した状態を背面側から見た斜視図である。
【図２８】電池カバーを外した状態の動物忌避装置の部分断面図である。
【発明を実施するための形態】
【００１９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２０】
（実施形態１）
図１は、本発明の実施形態１に係る動物忌避装置１を示すものである。この動物忌避装置１は、屋外の地面に置いて使用されるものであり、例えば猫や犬等の動物が一定の範囲に近づかないようにするためのものである。
【００２１】
図２及び図３にも示すように、動物忌避装置１は、エアゾール容器１０と、容器カバー１５と、脚部材２０と、噴射部３０とを備えている。エアゾール容器１０は、例えばアルミニウム合金製の耐圧容器からなるものを用いることができる。アルミニウム合金製とすることで、屋外でエアゾール容器１０を露出状態で使用する際に雨等による錆の発生はなく、耐候性が良好になる。尚、エアゾール容器１０としては、アルミニウム合金製以外にも、ブリキ缶を使用してもよいが、その場合には防錆処理を施すのが好ましい。
【００２２】
図７及び図８に示すように、エアゾール容器１０は、上下方向に延びる円筒形状とされており、例えば高さは１０ｃｍ以上に設定されている。エアゾール容器１０の上部には、弁機構１１が設けられている。弁機構１１は、従来周知のものなので詳細な説明は省略するが、上下方向に進退動するステム１１ａとステム１１ａを進出方向（上方）に付勢するバネ（図示せず）とを有しており、ステム１１ａが進出位置にあるときには、弁機構１１が閉状態となる一方、ステム１１ａがバネの付勢力に抗して後退位置にあるときには、弁機構１１が開状態となる。
【００２３】
また、エアゾール容器１０は金属材をかしめて接合することによって形成されており、上部に形成されるかしめ部は、エアゾール容器１０の径方向に突出して周方向に環状に延びる突条部１２となっている。
【００２４】
上記エアゾール容器１０には、動物忌避剤として、例えば噴射剤が収容されている。その他、芳香剤、エタノール等のうち、少なくとも１種以上が収容されていてもよい。噴射剤は、例えばジメチルエーテルやＬＰガス等を使用することができ、噴射することで動物に聞こえる音が発生するとともに、動物が感じることのできる風や雰囲気圧力の変化を生じさせることができ、これによって動物が驚いたり、嫌がったりして忌避効果が得られる。芳香剤の場合は、動物が嫌いな香りを放つものが好ましい。また、エタノールを噴射することで、動物に付着した際に気化熱による冷却効果で動物に違和感を感じさせることができ、このことで忌避効果が得られる場合がある。
【００２５】
容器カバー１５は、エアゾール容器１０の外周面を覆う筒状に形成されている。図１５に示すようにエアゾール容器１０の下部は脚部材２０に収容され、また、図５に示すようにエアゾール容器１０の上部は後述する接続部材２５に収容されている。容器カバー１５は、エアゾール容器１０の外周面において脚部材２０に収容された部位及び接続部材２５に収容された部位以外の部位を覆うことができる長さとされている。容器カバー１５の色は、太陽光の吸収率が低い白色や薄い色が好ましい。これにより、晴天下でのエアゾール容器１０の温度上昇を抑制することが可能になる。
【００２６】
また、図５や図７に示すように、エアゾール容器１０における噴出物の噴出側（上側）には、噴射部（本体部）３０の一部を構成している本体ケース５０に対して着脱可能に接続するための接続部材（着脱部材）２５が固定されている。本体ケース５０は、エアゾール容器１０のステム１１ａを覆うキャップとなるものである。接続部材２５は、エアゾール容器１０から取り外す際にはドライバー等の工具が必要で簡単には取り外せないようになっている一方、噴射部３０に対しては使用者が工具を使用することなく手で簡単に取り外すことができるようになっている。つまり、エアゾール容器１０から接続部材２５を取り外す際に要する取り外し力は、接続部材２５を本体ケース５０から取り外す際に要する取り外し力よりも大きく設定されている。取り外し力は、接続部材２５や本体ケース５０の形状等によって任意に設定できる。
【００２７】
そして、エアゾール容器１０に接続部材２５を取り付けた状態で、この形状の接続部材２５のみが噴射部３０の本体ケース５０に着脱できるようにしている。このため、例えば接続部材２５が取り付けられていないエアゾール容器１０や、別構造、別形状の接続部材が取り付けられているエアゾール容器１０を噴射部３０の本体ケース５０に取り付けることはできないので、使用目的の異なるエアゾール容器や異なる忌避剤が収容されたエアゾール容器が誤って噴射部３０の本体ケース５０に取り付けられることはなく、使用時の安全性を高めることができる。
【００２８】
具体的には、図９〜図１１にも示すように、接続部材２５は、エアゾール容器１０の外周面の上部を覆うように形成された筒状部２６と、筒状部２６の上端開口の周縁部から径方向内方へ延びる複数の棒状部２７と、棒状部２７の内端部に一体に設けられた略円形の上端板部２８とを備えており、例えば樹脂材の一体成形品となっている。筒状部２６の上下方向中間部には段差２６ａが形成されており、この段差２６ａよりも上側は下側に比べて小径とされて図５に示すように本体ケース５０の下部に挿入されるようになっている。筒状部２６の段差２６ａよりも下側の内径は、エアゾール容器１０の上下方向中間部分の外径と大略等しく設定されており、筒状部２６の下部はエアゾール容器１０の外周面に接触して支持されるようになっている。
【００２９】
図９〜図１２に示すように、筒状部２６の小径部分の外周面には、該外周面から突出する２つのねじ山（係合部）２６ｂ，２６ｂが周方向に間隔をあけて設けられている。ねじ山２６ｂは、筒状部２６の周方向についてその一部にのみ設けられた突条であり、筒状部２６の外周面上を延びる仮想の螺旋条を想定したとき、その螺旋条の一部で構成されている。ねじ山２６ｂは、後述するが本体ケース５０の円筒部材４９に形成されたねじ溝（被係合部）４９ａ（図１３および図１４に示す）に螺合することによって該ねじ溝４９ａに係合するようになっており、ねじ溝４９ａに対して螺合し始める部分がねじ山２６ｂの始端部２６ｄであり、始端部２６ｄと反対側の端部がねじ山２６ｂの終端部２６ｅである。ねじ山２６ｂは、終端部２６ｅが最も下に位置し、始端部２６ｄ側へ行くほど上に位置するように延びている。ねじ山２６ｂの断面は、その突出方向先端側へ行くほど上下方向の寸法が短くなる形状である。
【００３０】
また、筒状部２６の小径部分の外周面には、２つの凸部２６ｃ，２６ｃが形成されている。凸部２６ｃは、詳細は後述するが、ねじ山２６ｂが本体ケース５０の円筒部材４９のねじ溝４９ａに完全に螺合した状態で、該円筒部材４９が有する凹部４９ｃに嵌合するようになっている。各凸部２６ｃは、ねじ山２６ｂの下方であって、かつ、該ねじ山２６ｂの終端部２６ｅ近傍に配置されている。凸部２６ｃはねじ山２６ｂに連なるように形成されており、凸部２６ｃとねじ山２６ｂとが一体化している。これにより、ねじ山２６ｂと凸部２６ｃとが相互に補強し合う関係となり、ねじ山２６ｂや凸部２６ｃの破損が抑制される。
【００３１】
図７に示すように、棒状部２７は放射状に設けられており、上端板部２８を筒状部２６の上端開口内において略水平に延びる姿勢となるように支持するためのものである。
【００３２】
図１１や図１２に示すように、接続部材２５の上端板部２８の下面には、エアゾール容器１０の上端部の突条部１２が嵌まる凹部２８ａが形成されている。凹部２８ａの周縁部には、エアゾール容器１０の突条部１２に係合する２つの嵌合爪部２８ｂ、２８ｂが互いに周方向に離れた部位から下方へ突出するように形成されている。これら嵌合爪部２８ｂ、２８ｂは同じ形状である。嵌合爪部２８ｂは、平面視で突条部１２の外形状に沿うように全体として円弧状に湾曲している。図８に示すように、嵌合爪部２８ｂはエアゾール容器１０の突条部１２の下面部に係合することで突条部１２を嵌合爪部２８ｂと凹部２８ａ内面とで挟持し、これにより、接続部材２５がエアゾール容器１０の上側に対して爪嵌合構造によって強固に固定されるようになっている。
【００３３】
図７に示すように、上端板部２８には、嵌合爪部２８ｂ，２８ｂの形成箇所に対応してスリット２８ｃ，２８ｃが形成されている。スリット２８ｃ，２８ｃも円弧状に延びている。
【００３４】
図８に示すように、上端板部２８の中心部には、エアゾール容器１０のステム１１ａが下方から挿通するステム挿通孔２８ｄが形成されている。ステム挿通孔２８ｄの周縁部には、上方へ突出してステム１１ａを囲むように環状に延びる周壁部２８ｅが形成されている。
【００３５】
接続部材２５をエアゾール容器１０に取り付ける際には、エアゾール容器１０の上側を接続部材２５の内部へ挿入して突条部１２を嵌合爪部２８ｂ，２８ｂの先端に強く押し付ける。すると、この押し付け力によって嵌合爪部２８ｂ，２８ｂが互いに離れる方向に変位して開いていき、突条部１２が嵌合爪部２８ｂ，２８ｂの間に入っていく。そして、突条部１２が嵌合爪部２８ｂ，２８ｂの間に完全に入ると、嵌合爪部２８ｂ，２８ｂの形状が復元して嵌合爪部２８ｂ，２８ｂが突条部１２の下面にしっかりと嵌合することになる。接続部材２５のエアゾール容器１０に対する固定力は、嵌合爪部２８ｂ，２８ｂの形状や肉厚等によって設定することができ、この実施形態では、ねじ山２６ｂをねじ溝４９ａに螺合させる際、及び螺合した状態から緩める際に、嵌合爪部２８ｂ，２８ｂがエアゾール容器１０に対して滑ることなく、しかも、こじるような力が作用しても嵌合爪部２８ｂ，２８ｂがエアゾール容器１０から外れることがないように設定されている。
【００３６】
接続部材２５をエアゾール容器１０から取り外す際には、接続部材２５とエアゾール容器１０との間に例えばドライバー等の工具を入れて強くこじるようにすればよい。
【００３７】
図１等に示す脚部材２０は、例えば樹脂成形品とすることができる。図１２〜図１５に示すように、脚部材２０は、エアゾール容器１０の下部を挿入することができる有底円筒状の挿入部２１と、挿入部２１の周壁部を覆うように形成されるカバー部２２と、カバー部２２の外周面から径方向外方へ突出する４つの脚２３，２３，…と、使用後のエアゾール容器１０に残ったガスを排出するための残ガス排出部２４とを備えている。尚、脚２３の数は４つに限られるものではなく、任意の数に設定できる。
【００３８】
挿入部２１の周壁部は中心線が上下に延びるように形成されており、下端部には底壁部２１ａが設けられている。図１５に示すように、挿入部２１の内周面の下部は、エアゾール容器１０の外周面に接触するように形成されており、エアゾール容器１０を挿入部２１に挿入した状態で挿入部２１の内周面の下部がエアゾール容器１０の外周面に強く接触して嵌合することによってエアゾール容器１０の下部が脚部材２０に保持されることになる。
【００３９】
挿入部２１の内周面は、上端に近づくほど径方向外方に位置するように、即ち、内径が次第に拡大するように形成されており、挿入部２１の内周面の上部とエアゾール容器１０の外周面との間には隙間が形成される。これにより、エアゾール容器１０の下部を挿入部２１に容易に挿入することができる。
【００４０】
挿入部２１の底壁部２１ａは、周縁部が中央部に比べて低くなるように形成されている。
【００４１】
挿入部２１の内部には、エアゾール容器１０との間に形成される上記隙間を通って雨水等が浸入することがある。この実施形態では、図１６や図１７に示すように、挿入部２１に浸入した雨水等を排出するための複数の第１ドレン孔２１ｂ及び第２ドレン孔２１ｃが形成されている。第１ドレン孔２１ｂ及び第２ドレン２１ｃは、挿入部２１の周壁部の下部近傍から底壁部２１ａに亘ってスリット状に形成されている。
【００４２】
第１ドレン孔２１ｂは、第２ドレン孔２１ｃに比べて上下方向の寸法が長く、かつ、第２ドレン孔２１ｃよりも狭い幅を有している。２つの第１ドレン孔２１ｂ、２１ｂの間に第２ドレン孔２１ｃが設けられている。２つの第１ドレン孔２１ｂ、２１ｂと１つの第２ドレン孔２１ｃとで１つの組が構成されており、このドレン孔２１ｂ、２１ｃの組が、挿入部２１の周方向に互いに間隔をあけて複数組設けられている。
【００４３】
脚部材２０のカバー部２２は、挿入部２１の周壁部上端に連なり、下方へ向かい、かつ、下側へ行くほど径方向外方に位置するように滑らかに拡大するように延びている。これにより、カバー部２２の外面に雨水等が溜まるのを回避することができる。
【００４４】
４つの脚２３，２３，…は、挿入部２１の周方向に略等間隔に配置されている。各脚２３は、平面視でエアゾール容器１０から外方へ突出するように形成されており、これにより、地面等に置いた状態で動物忌避装置１が転倒しにくくなっている。また、各脚２３は、挿入部２１の底壁部２１ａよりも下方へ延びており、地面等に置いた状態でエアゾール容器１０を地面から上方へ離間させることができるようになっている。
【００４５】
図１５等に示すように、残ガス排出部２４は、挿入部２１の底壁部２１ａと、底壁部２１ａに形成された貫通孔２１ｅと、該底壁部２１ａから下方へ突出する支持板部（支持部）２１ｆ、２１ｆとを備えている。図２０（ｂ）に示すように、エアゾール容器１０のステム１１ａを挿入部２１の底壁部２１ａの貫通孔２１ｅと一致させ、この状態で底壁部２１ａに対して押し付けると、ステム１１ａがバネの付勢力に抗して後退位置になるとともに、ステム１１ａと貫通孔２１ｅとが連通状態になる。このとき弁機構１１が開状態となってエアゾール容器１０の内部の残ガスが貫通孔２１ｅから外部に放出される。
【００４６】
支持板部２１ｆは、上述のようにステム１１ａを底壁部２１ａに押し付ける際に、エアゾール容器１０が底壁部２１ａの径方向には動かないように、該エアゾール容器１０を側方から支持するためのものである。支持板部２１ｆは、貫通孔２１ｅから底壁部２１ａの径方向に離れて配置されており、エアゾール容器１０の突条部１２の外周面に沿って延びるように形成されている。ステム１１ａを底壁部２１ａの貫通孔２１ｅと一致させた状態では、支持板部２１ｆがエアゾール容器１０の突条部１２の外周面に接触し、このことでエアゾール容器１０が支持される。
【００４７】
図５に示すように、噴射部３０は、ソレノイドバルブ（切替装置）３１と、ノズル３２と、焦電型赤外線センサー３３と、制御装置３４と、電池３５と、これらを収容する本体ケース５０とを有している。本体ケース５０は、エアゾール容器１０を収容するものではないので、従来例の本体ケースに比べて小型のケースとなっている。
【００４８】
本体ケース５０は、例えば樹脂材で構成された複数の部材を組み合わせて構成されている。本体ケース５０の下部には、エアゾール容器１０の接続部材２５の上部が挿入される円筒部材４９が設けられている。円筒部材４９の上端部には、接続部材２５の上部に形成されている周壁部２８ｅが挿通する貫通孔４９ｅが形成されている。
【００４９】
円筒部材４９の内周面には、２つのねじ溝４９ａ，４９ａが設けられている。各ねじ溝４９ａには、上述した接続部材２５のねじ山２６ｂが螺合する。また、図１３及び図１４に示すように、円筒部材４９の内周面には、ねじ溝４９ａの始端部側に連続する窪み部４９ｂが形成されている。窪み部４９ｂにおける円筒部材４９の周方向の長さは、接続部材２５のねじ山２６ｂの長さよりも若干長めに設定されており、窪み部４９ｂ内にその下方から接続部材２５のねじ山２６ｂが挿入されるようになっている。
【００５０】
また、円筒部材４９の内周面には、２つの凹部４９ｃ，４９ｃが形成されている。各凹部４９ｃは、ねじ溝４９ａの下側に配置されている。接続部材２５のねじ山２６ｂが円筒部材４９のねじ溝４９ａに螺合した状態で、接続部材２５の凸部２６ｃが凹部４９ｃに嵌合するようになっている。凸部２６ｃが凹部４９ｃに嵌合することで、接続部材２５の円筒部材４９に対する回動が抑制される。
【００５１】
さらに、円筒部材４９の内周面には、窪み部４９ｂと凹部４９ｃとの間に突条部４９ｄが設けられている。この突条部４９ｄは上下方向に延びていて、窪み部４９ｂと凹部４９ｃとを区画している。
【００５２】
また、本体ケース５０には、第１リミットスイッチＬ１及び第２リミットスイッチＬ２（図６に示す）が設けられている。これら第１リミットスイッチＬ１及び第２リミットスイッチＬ２は、エアゾール容器１０を本体ケース５０に取り付けた状態で、エアゾール容器１０の接続部材２５に設けられた所定部位が接触することによって開閉操作されるものである。
【００５３】
ソレノイドバルブ３１は、エアゾール容器１０のステム１１ａに接続される通路部材４０と、弁体４１と、可動子４２と、可動子４２を動かすためのコイル４３と、可動子４２を付勢するバネ４４と、可動子４２、コイル４３及びバネ４４を収容するソレノイドケース４５とを備えている。
【００５４】
通路部材４０は、本体ケース５０の中央部近傍に固定されており、本体ケース５０に対して動かないようになっている。通路部材４０には、下面に開口して上方へ延びる上流側通路４０ａと、ノズル３２に連通する下流側通路４０ｂとが形成されている。上流側通路４０ａ及び下流側通路４０ｂは、動物忌避剤をエアゾール容器１０から噴射させるための噴射通路である。
【００５５】
通路部材４０の上流側通路４０ａの上流端（下端部）には、エアゾール容器１０を噴射部３０に取り付けた状態でステム１１ａが挿入されるようになっている。この状態で、ステム１１ａは通路部材４０の上流側通路４０ａの内面によって後退方向に押されてエアゾール容器１０の弁機構１１が開状態となるようになっている。また、ステム１１ａの内部と通路部材４０の上流側通路４０ａとは気密に接続される。
【００５６】
弁体４１は、通路部材４０の内部に配設されており、上流側通路４０ａの下流端を閉じるためのものであり、例えばゴム等の弾性材で構成することができる。
【００５７】
ソレノイドケース４５は通路部材４０の上部に気密状に固定されている。このソレノイドケース４５に収容される可動子４２は、磁性体からなるものであり、上下方向に延びる柱状をなしている。可動子４２の下端部には上記弁体４１が固定されている。可動子４２は、ソレノイドケース４５内において上下動可能に配設されている。
【００５８】
コイル４３は、可動子４２の外周面を囲む筒状をなしている。このコイル４３の内部において可動子４２が上下動するようになっている。コイル４３は、ソレノイドケース４５の内面に固定されている。コイル４３には、制御装置３４から電圧が印加されるようになっている。
【００５９】
バネ４４は、コイル４３の内部において可動子４２の上方に配設されている。バネ４４は、可動子４２を下方へ付勢することにより、弁体４１を通路部材４０の上流側通路４０ａの下流端に押し付けて該下流端を閉状態にする荷重を加えるためのものである。
【００６０】
コイル４３に制御装置３４から電圧が印加されない状態では、図５に示すように、可動子４２がバネ４４の付勢力によって、弁体４１を通路部材４０の上流側通路４０ａの下流端に押し付けて該下流端を閉状態にする。これが非噴射状態である。このとき、エアゾール容器１０の動物忌避剤が通路部材４０の下流側通路４０ｂに流入しないように、バネ４４による付勢力が設定されている。
【００６１】
一方、コイル４３に制御装置３４から電圧が印加されると、可動子４２には上向きの磁力が働くようになっている。これにより、可動子４２はバネ４４の付勢力に抗して上昇して弁体４１を通路部材４０の上流側通路４０ａの下流端から離し、該下流端を開状態にする。これが噴射状態である。つまり、コイル４３に印加する電圧は、バネ４４による付勢力に抗して可動子４２を上昇させることができるように設定されている。
【００６２】
ノズル３２は、略水平方向に延びている。ノズル３２の上流端は通路部材４０に固定されて下流側通路４０ｂに連通している。ノズル３２の下流端開口（噴射口）３２ａは本体ケース５０の前面部の下部において外部に臨むように固定されている。本体ケース５０の前面部とは、ノズル３２の下流端開口３２ａが位置する部分である。ノズル３２の形状としては、図示したものに限られず、短いものであってもよいし、長いものであってもよい。動物忌避剤の噴霧範囲は、ノズル３２の構造によって設定することができ、上下方向よりも水平方向に広い方が好ましい。
【００６３】
本体ケース５０の内部における前面側には、ノズル３２よりも上方に回路基板４６が設けられている。回路基板４６は上下方向に延びており、上部には電源のＯＮ（入）、ＯＦＦ（切）を切り替えるための電源スイッチ４６ａが設けられている。回路基板４６の電源スイッチ４６ａの下方には、ＬＥＤランプ４６ｂが設けられている。さらに、回路基板４６のＬＥＤランプ４６ｂの下方には、制御装置３４が設けられ、この制御装置３４の下方には、赤外線センサー３３が設けられている。赤外線センサー３３の地面からの高さは、平均的な猫の体高と同程度になるように設定されている。これにより、赤外線センサー３３による猫の検知精度が向上する。
【００６４】
本体ケース５０の前面部の上部には、電源スイッチ４６ａを操作するためのメンブレンシートで構成された操作ボタン５０ａが設けられている。操作ボタン５０ａは、ＬＥＤランプ４６ｂの光を透過するように構成されている。
【００６５】
ＬＥＤランプ４６ｂは、制御装置３４の作動状態を表示する表示灯である。ＬＥＤランプ４６ｂと、ノズル３２の下流端開口３２ａとは、本体ケース５０の前面部、即ち、エアゾール容器１０の周方向について同一位置に配置されている。ＬＥＤランプ４６ｂは、後述する噴射禁止制御を行っていることを報知する報知手段である。
【００６６】
赤外線センサー３３は、従来周知のものであるので、詳細な説明は省略するが、赤外線を発するもの（動物）が所定距離内に存在するか否かを検知することができるセンサーである。赤外線センサー３３は、本体ケース５０内においてエアゾール容器１０の真上にくるように配置されている。赤外線センサー３３による動物の検知範囲は、例えば赤外線センサー３３から２ｍ以上５ｍ以下の範囲に設定することができるが、これに限られるものではない。赤外線センサー３３の性能によって検知対象動物の大きさは異なるが、この実施形態では、例えば猫や小型の犬を検知できる性能を有している。
【００６７】
赤外線センサー３３は、本体ケース５０に設けられた赤外線透過性を有するカバー５０ｂにより覆われている。赤外線センサー３３の検知範囲は、赤外線センサー３３の中心から上下方向、左右方向に広がっている。この実施形態では、地面を歩行する動物を忌避対象動物としているので、赤外線センサー３３の検知範囲のうち、上方へ広がる部分をカットしている。すなわち、本体ケース５０における赤外線センサー３３の配設部位には、正面視で、赤外線センサー３３の上側を覆うように下方へ延びる検知範囲設定部としての遮断部５０ｃが設けられている。これにより、例えば鳥等が動物忌避装置１の近傍を飛んでいても、それを忌避対象動物として検知することはない。また、例えば熱を持った物（日光下の洗濯物等）が赤外線センサー３３の上方で動いた場合にも、それを忌避対象動物として検知することはないので、誤検知を防止できる。
【００６８】
また、電源スイッチ４６ａを赤外線センサー３３の上方に設けているので、電源スイッチ４６ａを操作する際に赤外線センサー３３が人間の手を忌避対象動物として検知してしまうのを抑制することができる。
【００６９】
電池３５は、本体ケース５０の内部において背面側に収容されている。この電池３５は、エアゾール容器１０の真上に配置されている。電池３５は、回路基板４６に接続されている。電池３５は、本体ケース５０に設けられた蓋５０ｅを開閉することによって交換できるようになっている。
【００７０】
また、本体ケース５０には、ブザー４６ｅ（図６にのみ示す）が配設されている。ブザー４６ｅは、従来が周知の電子音を発する電子ブザーを使用することができるが、これ以外にもスピーカーを使用してもよい。ブザー４６ｅは、後述する噴射禁止制御を行っていることを報知する報知手段である。
【００７１】
さらに、本体ケース５０には、音センサー４６ｆ（図６にのみ示す）が配設されている。音センサー４６ｆは、音圧を検知するセンサーで構成することができ、少なくとも、例えば人間が動物忌避装置１から離れたところで拍手した音（所定音）を検知することができる程度の感度を有している。このときの人間と動物忌避装置１との離間距離は、赤外線センサー３３の検知範囲外となるように長い距離に設定されている。音センサー４６ｆが検知する所定音は、人間が手を叩く音以外にも、例えば人間が発する声や、口笛等を検知することもでき、人間が故意に発する音を検知することができるように構成されている。音センサー４６ｆが所定以上の音圧を検知した場合には、信号が制御装置３４へ出力される。上記した手を叩くこと、声を発すること、口笛を吹くことは、詳細は後述するが、人間によってなされる噴射禁止動作の一例であり、音センサー４６ｆは人間によってなされる噴射禁止動作を検知する動作検知手段であり、例えばマイク等であってもよい。
【００７２】
尚、動作検知手段としては、例えば動作を検知することができるカメラ等であってもよく、特に限定されない。
【００７３】
制御装置３４は、周知のマイクロコンピュータ等で構成されており、赤外線センサー３３及び音センサー４６ｆからの入力信号及び電源スイッチ４６ａの操作状態を検出して、ソレノイドバルブ３１、ＬＥＤランプ４６ｂ及びブザー４６ｅを制御するように構成されている。制御装置３４は、電源スイッチ４６ａの操作状態に基づいて電源がＯＮにされたと判定すると、赤外線センサー３３に電力供給を開始する。
【００７４】
制御装置３４による制御内容について図２２に示すフローチャートに従って説明する。この制御は、電源スイッチ４６ａがＯＮにされるとスタートする。電源スイッチ４６ａがＯＮにされた後、ステップＳ１に進み、人間が故意に発した音（所定音）が音センサー４６ｆによって検知されたか否かを判定する。ステップＳ１においてＮＯと判定されて所定音が検知されない場合には、ステップＳ２に進んで対象動物が検出されたか否かを判定する。電源がＯＮの状態で、赤外線センサー３３の検知範囲に動物が入ってくると、制御装置３４は、赤外線センサー３３により動物が所定距離内に存在することが検知されたと判定してステップＳ３に進む。ステップＳ３では、ソレノイドバルブ３１のコイル４３に電圧を印加してソレノイドバルブ３１を所定時間（Ｔ１）だけ開放して噴射状態にする。所定時間（Ｔ１）は、例えば０．５秒以上２秒以下に設定することができ、この実施形態では０．８秒に設定されている。所定時間（Ｔ１）は、上記範囲に限られるものではない。また、ソレノイドバルブ３１を複数回開閉してもよい。
【００７５】
ソレノイドバルブ３１を噴射状態にすると、エアゾール容器１０内の動物忌避剤がステム１１ａから噴射部３０の通路部材４０の上流側通路４０ａを経て下流側通路４０ｂに流入する。下流側通路４０ｂに流入した動物忌避剤は、ノズル３２に流入し、下流端開口３２ａから噴射される。このときの音や風等によって動物が忌避行動を示すので、忌避効果が得られる。
【００７６】
動物忌避剤の噴射範囲は、ノズル３２の構造やエアゾール容器１０に収容する噴射剤等の成分によって変更することができる。この実施形態では、赤外線センサー３３による動物の検知範囲と略等しい範囲に動物忌避剤を噴射するようにしている。ステップＳ３を経るとリターンしてステップＳ１の判定が行われる。
【００７７】
尚、赤外線センサー３３によって動物が検知されない場合は、制御装置３４は所定距離内に動物が存在しないと判定し、この場合にはソレノイドバルブ３１のコイル４３に電圧を印加せずに、ソレノイドバルブ３１を非噴射状態のままにしておく。
【００７８】
一方、ステップＳ１においてＹＥＳと判定されて所定音が音センサー４６ｆによって検知された場合には、ステップＳ４に進む。ステップＳ４では、ＬＥＤランプ４６ｂを点灯させる。ＬＥＤランプ４６ｂの光は操作ボタン５０ａを透過するので、動物忌避装置１に電源が入っているか否かを離れた所から把握できる。また、ＬＥＤランプ４６ｂと噴射口３２ａとが本体ケース５０の前面部に位置しているので、ＬＥＤランプ４６ｂの光によって噴射口３２ａのおおよその位置を把握することもできる。同様に赤外線センサー３３の位置も把握できる。
【００７９】
ステップＳ４では、ブザー４６ｅをＯＮにする。ブザー４６ｅから発せられる音は、例えば間欠的に鳴る音が好ましい。これと同時にステップＳ４で赤外線センサー３３をＯＦＦにする。これにより、人間が動物忌避装置１に接近してもソレノイドバルブ３１が噴射状態にはならないのでエアゾール容器１０内の噴射物が噴射されることはない。
【００８０】
つまり、電源をＯＮにしている状態で動物忌避装置１に接近しなければならなくなった場合に、接近しようとする人間が事前に拍手等によって所定音を発すれば、それを音センサー４６ｆが検知し、制御装置３４は、動物が所定距離内に存在しても切替装置３１を非噴射状態にして噴射を禁止する噴射禁止制御を行う。そして、噴射禁止制御を行っていることが、ＬＥＤランプ４６ｂ及びブザー４６ｅによって周囲に報知される。
【００８１】
したがって、人間に対して噴射物が噴射されてしまうのを抑制することが可能になり、噴射物が無駄に消費されなくなるとともに、人間を驚かせてしまうことがなくなる。この噴射禁止制御は、特に電源をＯＦＦにしようとして動物忌避装置１に接近する際や、エアゾール容器１０を交換する際、動物忌避装置１の周囲を通る際にも有効である。
【００８２】
ステップＳ４に続くステップＳ５では、所定時間（Ｔ２）が経過したか否かを判定する。所定時間（Ｔ２）は、この実施形態では３分間としているが、これに限らず、例えば３０秒以上５分以下の時間に設定することができる。ステップＳ５では、所定時間（Ｔ２）が経過するまで待ち、その間は、赤外線センサー３３がＯＦＦのままである。また、ブザー４６ｅから音が発せられているとともに、ＬＥＤランプ４６ｂが点灯しているので、噴射禁止制御中であることが周囲の人に分かる。
【００８３】
ステップＳ４を経て所定時間（Ｔ２）が経過するとステップＳ５においてＹＥＳと判定されてステップＳ６に進む。ステップＳ６では、ＬＥＤランプ４６ｂをＯＦＦにするとともに、ブザー４６ｅもＯＦＦにする。そして、赤外線センサー３３をＯＮにする。したがって、噴射禁止動作を検知した後、所定時間（Ｔ２）が経過すると噴射禁止制御を終了することができる。その後、リターンしてステップＳ１に進む。
【００８４】
また、制御装置３４は、噴射回数をカウントするためのカウンタを有しているとともに、第１リミットスイッチＬ１及び第２リミットスイッチＬ２の動作状態に基づいてどの容量のエアゾール容器１０取り付けられているかを判定する判定部も有している。
【００８５】
すなわち、エアゾール容器１０としては、内容量の異なる複数種のものを用意する場合がある。例えば、図１に示す小容量タイプのエアゾール容器１０、中容量タイプのエアゾール容器１０、大容量タイプのエアゾール容器１０（図２３に大容量タイプを示す）の３種類を用意した場合、小容量タイプのエアゾール容器１０の接続部材２５では、第１リミットスイッチＬ１を閉、第２リミットスイッチＬ２を開にするように形状設定を行い、また、中容量タイプのエアゾール容器１０の接続部材２５では、第１リミットスイッチＬ１を開、第２リミットスイッチＬ２を閉にするように接続部材２５の形状設定を行い、また、大容量タイプのエアゾール容器１０の接続部材２５では、第１リミットスイッチＬ１を閉、第２リミットスイッチＬ２を閉にするように接続部材２５の形状設定を行う。接続部材２５の形状の具体例としては、例えば、突起や窪み等があり、第１リミットスイッチＬ１及び第２リミットスイッチＬ２を開閉操作できる形状であればよい。尚、エアゾール容器１０が取り外されている状態では、第１リミットスイッチＬ１及び第２リミットスイッチＬ２を共に開とする。
【００８６】
エアゾール容器１０は、容量が大きくなるほど高さが高くなっており、大容量タイプのエアゾール容器１０を取り付けた場合には、図２３に示すように噴射部３０の位置が図１に示す小容量タイプに比べて高くなる。容器カバー１５はエアゾール容器１０の高さに応じて複数用意しておけばよい。
【００８７】
制御装置３４は、接続部材２５が本体ケース５０に接続された後、第１リミットスイッチＬ１が開、第２リミットスイッチＬ２が閉であることを検出した場合には、小容量タイプのエアゾール容器１０が取り付けられていると判定する。また、第１リミットスイッチＬ１が閉、第２リミットスイッチＬ２が開であることを検出した場合には、中容量タイプのエアゾール容器１０が取り付けられていると判定する。また、第１リミットスイッチＬ１が閉、第２リミットスイッチＬ２が閉であることを検出した場合には、大容量タイプのエアゾール容器１０が取り付けられていると判定する。
【００８８】
そして、制御装置３４は、カウンタでカウントした噴射回数が、取り付けられているエアゾール容器１０の容量から推定される規定噴射回数に達したと判定した場合には、ＬＥＤランプ４６ｂを点滅させてエアゾール容器１０の残量が無くなったことを報知する。尚、エアゾール容器１０の残量が無くなったことを報知する報知手段としては、ＬＥＤランプ４６ｂに限られるものではなく、ブザー等の音を発生するものや別のランプ等であってもよい。また、制御装置３４は、第１リミットスイッチＬ１及び第２リミットスイッチＬ２が共に開であることを検出すると、噴射回数をリセットする。
【００８９】
エアゾール容器１０の動物忌避剤が無くなった場合には、エアゾール容器１０を噴射部３０の本体ケース５０から取り外す。このとき、噴射部３０及びエアゾール容器１０を手で持って、エアゾール容器１０を、接続部材２５のねじ山２６ｅの螺合を解除する方向に相対的に回動させる。回動初期には、接続部材２５の凸部２６ｅが、円筒部材４９の凹部４９ｃに嵌合しているので、比較的大きな力が必要であるが、接続部材２５や円筒部材４９が弾性変形しながら接続部材２５の凸部２６ｅが円筒部材４９の突条部４９ｄを乗り越えれば、その後は小さな力で回動させることができる。接続部材２５のねじ山２６ｅが円筒部材４９の窪み部４９ｂ内に位置するとエアゾール容器１０の回動が停止する。そして、エアゾール容器１０を下へ抜くと、ねじ山２６ｅが窪み部４９ｂ内を通って下へ移動していき、エアゾール容器１０が噴射部３０の本体ケース５０から外れる。
【００９０】
このとき、上述のように接続部材２５がエアゾール容器１０に強固に取り付けられているので、接続部材２５がエアゾール容器１０から外れることはないとともに、接続部材２５がエアゾール容器１０に対して回動することもない。尚、脚部材２０からエアゾール容器１０を抜いて脚部材２０は再利用する。
【００９１】
新品のエアゾール容器１０には、接続部材２５が予め取り付けられている。従って、新品のエアゾール容器１０を噴射部３０に取り付ける際には、まず、接続部材２５を本体ケース５０の円筒部材４９に挿入する。このとき、接続部材２５のねじ山２６ｂを、円筒部材４９の窪み部４９ｂ内にその下方から挿入していく。その後、エアゾール容器１０を、接続部材２５のねじ山２６ｅが円筒部材４９のねじ溝４９ａに螺合する方向に相対的に回動させる。螺合終盤では、接続部材２５の凸部２６ｃが円筒部材４９の突条部４９ｄを乗り越える際に比較的大きな力が必要であるが、接続部材２５や円筒部材４９が弾性変形しながら接続部材２５の凸部２６ｅが円筒部材４９の突条部４９ｄを乗り越える。すると、接続部材２５の凸部２６ｃが円筒部材４９の凹部４９ｃに嵌合するので、エアゾール容器１０の噴射部３０に対する回動が抑制される。
【００９２】
上述のようにして新品のエアゾール容器１０を噴射部３０に取り付けることができる。この状態で、新品のエアゾール容器１０のステム１１ａが後退して弁機構１１が開状態となる。また、新品のエアゾール容器１０に脚部材２０を取り付ける。
【００９３】
使用後のエアゾール容器１０には噴射剤としてのガスが残っている場合がある。この場合、脚部材２０の残ガス排出部２４を利用する。すなわち、まず、図２０（ａ）に示すように、脚部材２０を上下反転させて挿入部２１の上端開口が下に位置するように配置した後、この挿入部２１の上端開口の周縁部を例えば台等の上に載置する。これにより、脚部材２０が安定する。その後、エアゾール容器１０のステム１１ａを挿入部２１の底壁部２１ａの貫通孔２１ｅと一致させる。この状態で、支持板部２１ｆがエアゾール容器１０の突条部１２の外周面に接触してエアゾール容器１０が径方向に動かないように側方から支持される。
【００９４】
その後、エアゾール容器１０を挿入部２１の底壁部２１ａに対して押し付けると、ステム１１ａが後退して弁機構１１が開状態となって内部の残ガスが貫通孔２１ｅを通って外部に放出される。従って、残ガスを排出するための道具を別途用意することなく、脚部材２０を使用して簡単に排出することができる。貫通孔２１ｆから挿入部２１内に噴射された残ガスは、第１ドレン孔２１ｂや第２ドレン孔２１ｃを通って外部に放出される。
【００９５】
以上説明したように、この実施形態に係る動物忌避装置１によれば、噴射状態を切り替えるソレノイドバルブ３１、赤外線センサー３３及び制御装置３４を、所定高さを有するエアゾール容器１０の上側に取り付けたので、従来例のようなエアゾール容器を収容する大型のケースは不要になって動物忌避装置１を小型化でき、設置場所の自由度を向上させることができる。また、赤外線センサー３３をエアゾール容器１０の上側に取り付けることで、ある程度の体高を持った猫や犬等の動物の検知精度を向上させることができ、忌避効果を十分に得ることができる。
【００９６】
また、エアゾール容器１０を交換する際にはエアゾール容器１０を回動させればよいので、容易に交換することができる。
【００９７】
エアゾール容器１０の交換時には、接続部材２５をエアゾール容器１０に対して爪嵌合構造によって固定したので、エアゾール容器１０を回動させて噴射部３０から取り外す際にエアゾール容器１０が接続部材２５から誤って外れることはなく、エアゾール容器１０と接続部材２５とを一緒に噴射部３０から取り外すことができる。
【００９８】
また、ソレノイドバルブ３１、赤外線センサー３３及び制御装置３４を収容する本体ケース５０をエアゾール容器１０に着脱可能にしたので、動物忌避剤が無くなった場合にエアゾール容器１０を簡単に交換してソレノイドバルブ３１、赤外線センサー３３及び制御装置３４を再利用できる。
【００９９】
また、エアゾール容器１０の下側に脚部材２０を取り付けるようにしたので、動物忌避装置１を地面に設置する際にエアゾール容器１０の転倒を防止することができ、動物忌避効果を安定して得ることができる。
【０１００】
また、ソレノイドバルブ３１、赤外線センサー３３及び制御装置３４をエアゾール容器１０の真上に配置したのでエアゾール容器１０を安定させることができ、エアゾール容器１０の転倒を防止して動物忌避効果を安定して得ることができる。
【０１０１】
また、作動状態を表示するためのＬＥＤランプ４６ｂとノズル３２とをエアゾール容器１０の周方向について同一位置に配置できるので、動物忌避装置１の使用者がノズル３２のおおよその位置をＬＥＤランプ４６ｂに基づいて把握することができる。これにより、動物忌避剤が予期しない方向に噴射されてしまうのを防止できる。
【０１０２】
また、手を叩く音を検知したときに噴射を禁止することができるので、人間が動物忌避装置１に故意に接近するような場合にエアゾール容器１０内の噴射物を無駄に消費しないようにすることができるとともに、人間を驚かせてしまうのを防止することができる。
【０１０３】
また、噴射禁止動作制御が開始されてから所定時間が経過すると噴射禁止制御を終了するので、利便性を高めることができる。
【０１０４】
尚、上記実施形態では、動物が所定距離内に存在するか否かを検知するセンサーとして赤外線センサー３３を使用しているが、これに限られるものではなく、各種センサーを使用することができる。
【０１０５】
また、上記実施形態では、エアゾール容器１０から動物忌避剤を噴射させる噴射状態と、動物忌避剤を噴射させない非噴射状態とに切り替えるための切替装置としてソレノイドバルブ３１を用いているが、これに限らず、例えばカム機構を利用してエアゾール容器１０のステム１１ａを押し下げるように構成されたものであってもよい。
【０１０６】
また、上記実施形態では、電源スイッチ４６ａを本体ケース５０の前面部に設けているが、これに限らず、例えば、本体ケース５０の上面部に設けてもよい。また、電源スイッチ４６ａを本体ケース５０の側面部において赤外線センサー３３よりも上方に設けてもよい。
【０１０７】
また、上記実施形態では、人間が発する音を感知することで噴射禁止制御に移行するようにしているが、これに限らず、例えば、人間による遠隔操作手段としてのリモコン操作によって噴射禁止制御に移行するようにしてもよい。この場合、リモコン操作が、人間によってなされる噴射禁止動作となる。さらに、動物忌避装置１には、リモコンから送信された信号を受信する受信部を設けておく。受信部は、リモコンから送信された信号に基づいて噴射禁止動作を検知する動作検知手段である。また、リモコンからは噴射禁止信号を送信することができるようにしておく。そして、動物忌避装置１の受信部によって受信された信号が、リモコンから送信された噴射禁止信号である場合には、制御装置３４が図２２に示すフローチャートのステップＳ４〜Ｓ６の制御を行うように構成する。
【０１０８】
（実施形態２）
図２４は、本発明の実施形態２に係る動物忌避装置１を示す斜視図である。実施形態２の動物忌避装置１は、電源スイッチの配設位置と、脚部材２０の構造とが主に異なっており、他の部分は実施形態１と同じであるため、以下、実施形態１と異なる部分について詳細に説明する。
【０１０９】
実施形態２では、操作ボタン５０ａと、電源スイッチ（図示せず）とが本体ケース５０の上部に配設されている。この電源スイッチの配設位置に伴って内部の回路基板（図示せず）の形状及び位置も変更されている。操作ボタン５０ａは、メンブレンシートで構成されており、本体ケース５０の上壁部の下面に沿うように該本体ケース５０の前後方向及び左右方向に延びる形状となっている。このメンブレンシートは水を透過させない性質を持っているので、本体ケース５０の上壁部から内部へ雨水等が浸入してきても操作ボタン５０ａの上面に沿って前後方向、左右方向に流れていき、内部の制御装置３４等に雨水が付着するのを抑制することができる。
【０１１０】
また、操作ボタン５０ａを本体ケース５０の上部に配設することで、赤外線センサー３３と操作ボタン５０ａとを離すことができる。これにより操作ボタン５０ａの操作時に手が赤外線センサー３３で検知されてしまって動物忌避剤が無駄に噴射されてしまうのを抑制できる。
【０１１１】
また、この実施形態２では、電源のＯＮ／ＯＦＦ状態を表示する電源用ＬＥＤランプ４６ｃと、エアゾール容器１０の内容量の状態を表示するエアゾール用ＬＥＤランプ４６ｄとが設けられている。これら電源用ＬＥＤランプ４６ｃ及びエアゾール用ＬＥＤランプ４６ｄは、制御装置３４により制御されるもので、操作ボタン５０ａの下方に配置されている。各ＬＥＤランプ４６ｃ、４６ｄの光は操作ボタン５０ａを透過するようになっている。エアゾール用ＬＥＤランプ４６ｄは、エアゾール容器１０の新品への交換後の噴射回数が、エアゾール容器１０の容量から推定される規定噴射回数に達したと制御装置３４が判定した場合に点灯または点滅する。
【０１１２】
脚部材２０は、脚２３，２３，…が折り畳み可能に構成されている。すなわち、各脚２３は、脚部材２０のカバー部２２とは別部材で構成されており、カバー部２２に対して水平軸周りに回動可能に取り付けられている。脚２３が回動軸周りに脚部材２０の下方へ回動することで脚部材２０がコンパクトになって脚部材２０の前後寸法や左右寸法が短くなるので、動物忌避装置１の運搬時等が容易になる。使用時には、脚２３が図１９に示す状態となるように回動させることで、脚２３がカバー部２２の一部に当接してそれ以上上方へは回動しなくなる。
【０１１３】
この実施形態２の動物忌避装置１においても、実施形態１と同様な作用効果を奏することができる。
【０１１４】
（実施形態３）
図２５は、本発明の実施形態３に係る動物忌避装置１を示す斜視図である。実施形態３の動物忌避装置１は、噴射部３０の形状が実施形態１のものとは異なっており、他の部分は実施形態１と同じであるため、以下、実施形態１と異なる部分について詳細に説明する。
【０１１５】
噴射部３０の本体ケース５０は全体として円筒状に形成されている。本体ケース５０の上壁部は、中心部が最も上に位置するように滑らかに湾曲している。本体ケース５０の蓋５０ｅは、噴射部３０の背面から側面まで周り込むように形成されている。図２７及び図２８に示すように、本体ケース５０には、第１突条部５１及び第２突条部５２が形成されている。第１突条部５１及び第２突条部５２は、本体ケース５０における蓋５０ｅで覆われる部分に位置しており、その上部から下方へ延びている。第１突条部５１及び第２突条部５２は互いに略平行である。第１突条部５１の突出高さの方が第２突条部５２の突出高さよりも低くなっている。また、図２８に示すように、本体ケース５０における蓋５０ｅで覆われる部分の下部には、係合孔５３が背面側へ開口するように設けられている。
【０１１６】
蓋５０ｅの周縁部には、下方へ突出する突出部５４が形成されている。この突出部５４は、第２突条部５２に嵌合するようになっている。また、蓋５０ｅの下縁部には、係合爪５５が下方へ突出するように形成されている。係合爪５５は、係合孔５３に挿入された状態で該係合孔５３の周縁部に係合するようになっている。
【０１１７】
蓋５０ｅを本体ケース５０から取り外す際には、図２６に矢印Ａで示すように一旦上方へ移動させる。これにより、蓋５０ｅの突出部５４が第２突条部５２から外れるとともに、係合爪５５が係合孔５３の周縁部から外れるので、図２７に示すように蓋５０ｅが本体ケース５０から外れる。
【０１１８】
この実施形態３の動物忌避装置１においても、実施形態１と同様な作用効果を奏することができる。
【０１１９】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【０１２０】
以上説明したように、本発明に係る動物忌避装置は、例えば屋外で猫や犬等の動物を追い払う際に用いることができる。
【符号の説明】
【０１２１】
１          動物忌避装置
１０        エアゾール容器
２５        接続部材
３０        噴射部（本体部）
３１        ソレノイドバルブ（切替装置）
３３        赤外線センサー
３４        制御装置
４６ｂ      ＬＥＤランプ（報知手段）
４６ｅ      ブザー（報知手段）
４６ｆ      音センサー（動作検知手段）
【図１】
0006435197.tif 000002
【図２】
0006435197.tif 000003
【図３】
0006435197.tif 000004
【図４】
0006435197.tif 000005
【図５】
0006435197.tif 000006
【図６】
0006435197.tif 000007
【図７】
0006435197.tif 000008
【図８】
0006435197.tif 000009
【図９】
0006435197.tif 000010
【図１０】
0006435197.tif 000011
【図１１】
0006435197.tif 000012
【図１２】
0006435197.tif 000013
【図１３】
0006435197.tif 000014
【図１４】
0006435197.tif 000015
【図１５】
0006435197.tif 000016
【図１６】
0006435197.tif 000017
【図１７】
0006435197.tif 000018
【図１８】
0006435197.tif 000019
【図１９】
0006435197.tif 000020
【図２０】
0006435197.tif 000021
【図２１】
0006435197.tif 000022
【図２２】
0006435197.tif 000023
【図２３】
0006435197.tif 000024
【図２４】
0006435197.tif 000025
【図２５】
0006435197.tif 000026
【図２６】
0006435197.tif 000027
【図２７】
0006435197.tif 000028
【図２８】
0006435197.tif 000029